(57)【要約】      （修正有）【課題】包装処理に関する操作画面を表示した状態で、被包装物毎に包装不良などが生じた場合、容易にその原因を把握することが可能な包装装置を提供する。【解決手段】包装装置は、フィルムにより被包装物を包装する包装部と、被包装物のトレイサイズを含むトレイ情報を記憶する記憶部と、被包装物のトレイサイズを検出するサイズ検出部と、包装部の包装動作に関する情報を示す操作画面を表示し、操作画面に対する操作指示を検出する包装指示部としての表示操作部３９と、検出されたトレイサイズに対応するトレイ情報に基づいて包装部にフィルム包装処理を行わせる制御部と、を有する。制御部は、包装部により被包装物に対してフィルム包装処理を行った後、履歴情報３９ｂに関する表示指示用ボタンの操作を検出した場合、表示操作部３９の操作画面に、包装済みの被包装物のトレイサイズ及び／またはトレイ情報の少なくとも直近の情報を表示する処理を行う。【選択図】図８
2014105019.tif 000002
【特許請求の範囲】
【請求項１】
フィルムにより被包装物を包装する包装部を備える包装装置であって、
前記被包装物のトレイサイズを含むトレイ情報を記憶する記憶部と、
被包装物のトレイサイズを検出するサイズ検出部と、
前記包装部の包装動作に関する情報を示す操作画面を表示するとともに、前記操作画面に対する操作指示を検出する包装指示部と、
前記サイズ検出部により検出されたトレイサイズを基に、前記記憶部から、該トレイサイズに対応するトレイ情報を読み出し、該トレイ情報に基づいて前記包装部にフィルム包装処理を行わせる制御部と、を有し、
前記制御部は、前記包装部により被包装物に対してフィルム包装処理を行った後、前記包装指示部の前記操作画面に、前記サイズ検出部により検出された前記被包装物のトレイサイズ及び／またはトレイ情報の少なくとも直近の情報を表示する処理を行うことを特徴とする
包装装置。
【請求項２】
前記制御部は、前記操作画面に表示した、前記サイズ検出部により検出された前記被包装物のトレイサイズ及び／またはトレイ情報の少なくとも直近の情報を含む履歴情報に関する表示指示用ボタンを操作したことを前記包装指示部で検出した場合、該包装指示部の前記操作画面に前記履歴情報を表示する処理を行うことを特徴とする請求項１に記載の包装装置。
【請求項３】
前記包装装置の筐体において、前記包装部または商品載置部の近傍に、前記被包装物のトレイサイズを目視により計測可能な目盛りを備えることを特徴とする請求項１または請求項２に記載の包装装置。
【発明の詳細な説明】
【技術分野】
【０００１】
本発明は、被包装物をフィルムで覆い包装する包装装置に関する。
【背景技術】
【０００２】
被包装物を包装部へ搬入する途中でセンサー等によりトレイサイズを検出して包装処理を行う包装値付装置（包装装置）が知られている（例えば、特許文献１参照）。詳細には、包装装置は、被包装物を包装部へ搬入する途中でセンサー等によりトレイサイズを検出し、検出したトレイサイズに基づいて包装装置内の記憶部などに設定されているトレイ情報（トレイ番号、トレイの幅、奥行、高さ、フィルムのカット長、風袋重量（トレイの重量）など）を呼び出し、その呼び出したトレイ情報に応じて被包装物をフィルムにより覆うことで包装を行っている。
【先行技術文献】
【特許文献】
【０００３】
【特許文献１】特開平７−１２５７２８号公報
【発明の概要】
【発明が解決しようとする課題】
【０００４】
ところで、一般的な包装装置では、包装不良が生じた場合、包装処理に関するトレイサイズなどの履歴情報（ログ）を表示させるために煩雑な操作を行うことを要する。詳細には、オペレータが操作部を操作して、包装装置を通常包装処理モードからメンテナンスモードに切り替え、メンテナンス操作画面を表示部に表示させ、メンテナンス操作画面を操作して、包装処理に関するログ情報の一覧を表示部に表示させ、そのログ情報の一覧の中から包装不良時のデータを探しだすという煩雑な操作を行っていた。
また、一般的な包装装置では、包装不良などが生じたとき、その原因がトレイサイズを検出するセンサー等の不良であるのか、包装装置の包装可動部における不良であるのか、判断が困難な場合がある。
【０００５】
本発明は、上述した問題に鑑みてなされたもので、包装処理に関する操作画面を表示した状態で、被包装物毎に包装不良などが生じた場合、容易にその原因を把握することが可能な包装装置を提供すること、などを目的とする。
【課題を解決するための手段】
【０００６】
本発明の包装装置は、フィルムにより被包装物を包装する包装部を備える包装装置であって、前記被包装物のトレイサイズを含むトレイ情報を記憶する記憶部と、被包装物のトレイサイズを検出するサイズ検出部と、前記包装部の包装動作に関する情報を示す操作画面を表示するとともに、前記操作画面に対する操作指示を検出する包装指示部と、前記サイズ検出部により検出されたトレイサイズを基に、前記記憶部から、該トレイサイズに対応するトレイ情報を読み出し、該トレイ情報に基づいて前記包装部にフィルム包装処理を行わせる制御部と、を有し、前記制御部は、前記包装部により被包装物に対してフィルム包装処理を行った後、前記包装指示部の前記操作画面に、前記サイズ検出部により検出された前記被包装物のトレイサイズ及び／またはトレイ情報の少なくとも直近の情報を表示する処理を行うことを特徴とする。
【０００７】
また、本発明の包装装置は、制御部が、前記操作画面に表示した、前記サイズ検出部により検出された前記被包装物のトレイサイズ及び／またはトレイ情報の少なくとも直近の情報を含む履歴情報に関する表示指示用ボタンを操作したことを前記包装指示部で検出した場合、該包装指示部の前記操作画面に前記履歴情報を表示する処理を行うことを特徴とする。
【０００８】
上記包装装置によれば、被包装物にフィルム包装処理を施した後、履歴情報に関する表示指示用ボタンの操作指示を検出した場合、制御部が、操作画面にサイズ検出部により検出した被包装物のトレイサイズまたはトレイ情報の履歴情報を表示する処理を行う。オペレータは、トレイサイズまたはトレイ情報の履歴情報、実際にフィルム包装された被包装物（商品）のトレイサイズや包装状態などを見て、包装装置により検出されたトレイサイズや自動設定したトレイ情報などの包装条件が適切であったか否かを容易に判断可能である。
【発明の効果】
【０００９】
本発明によれば、包装処理に関する操作画面（値付け画面など）から、簡単な操作で、少なくとも包装済みトレイサイズを操作表示部の画面に表示することができるので、包装不良などが生じた場合、その原因がトレイサイズを検出するセンサー等の不良であるのか、包装装置の包装可動部における不良であるのか等を容易に把握することができ、包装装置における不良に対して迅速に対処することが可能な包装装置を提供することができる。
【図面の簡単な説明】
【００１０】
【図１】本発明の実施形態に係る包装装置の一例を示す縦断側面図。
【図２】本発明の実施形態に係る包装装置の商品搬入部の一例を示す縦断正面図。
【図３】本発明の実施形態に係る包装装置の商品搬入部の一例を示す部分平面図である。
【図４】本発明の実施形態に係る包装装置の電気的な構成図。
【図５】本発明の実施形態に係る包装装置の機能ブロックの一例を示す図。
【図６】本発明の実施形態に係る包装装置の記憶部に記憶されているトレイ情報の一例を示す図。
【図７】本発明の実施形態に係る包装装置の表示部に表示される画面の一例を示す図。
【図８】本発明の実施形態に係る包装装置の表示部に表示される履歴情報（ログ）の一例を示す図。
【図９】本発明の実施形態に係る包装装置の動作の一例を示すフローチャート。
【発明を実施するための形態】
【００１１】
本発明の実施形態に係る包装装置は、被包装物をフィルム包装する。この包装装置の記憶部は、被包装物のトレイサイズを含むトレイ情報を記憶している。
包装装置は、被包装物に包装処理を行う場合、先ず、被包装物のトレイサイズを検出するセンサーなどのサイズ検出部により被包装物のトレイサイズを検出し、次に、その検出されたトレイサイズに対応するトレイ情報を記憶部から読み出し、そのトレイ情報に基づいて包装部により被包装物を包装する処理を行う。
本発明の実施形態に係る包装装置は、フィルム包装の仕上がりが良好でない場合、例えば、包装処理に関する操作画面や値付け画面（ラベル発行部の発行処理に関する操作画面やラベル貼付部の貼付処理に関する操作画面）などを包装指示部の表示部に表示した状態で、オペレータによる操作画面へのログ表示指示を示す操作指示を受けた場合、包装処理された各被包装物に対応する包装処理に関する履歴情報、詳細には、サイズ検出部により検出された被包装物のトレイサイズや、そのトレイサイズに基づいて記憶部から読み出した、そのトレイサイズに関連付けられたトレイ情報の、少なくとも直近の情報を包装指示部の表示部に表示する処理を行う。
こうすることで、オペレータの簡単な操作により、少なくとも直近のトレイサイズの履歴情報（ログ）やトレイ情報の履歴情報（ログ）などを包装装置の包装指示部の表示部に表示させることができる。
このため、包装不良などが生じた場合、その原因がトレイサイズを検出するセンサー等の不良であるのか、包装装置の包装可動部における不良であるのか等を、オペレータが容易に把握することができ、包装装置における不良に対して迅速に対処することが可能である。
【００１２】
以下、本発明の実施形態に係る包装装置を図面を参照して説明する。
図１は、本発明の実施形態に係る包装装置１００の一例を示す縦断側面図である。図２は包装装置１００の商品搬入部の一例を示す縦断正面図である。
本実施形態では、計量ラベルプリンタを装備するストレッチフィルム包装装置に、本発明に係る包装装置を適用した一例を説明する。
【００１３】
図１、図２に示したように、本発明の実施形態に係る包装装置１００は、ストレッチフィルム包装機Ａ（包装部）と、計量ラベルプリンタＢと、ラベル貼付装置Ｃと、を有する。計量ラベルプリンタＢは、包装機Ａにおける商品搬出路の側方上部に配置され、ラベル貼付装置Ｃは商品搬出路の上方に配置されている。
【００１４】
本実施形態では、被包装物として、トレイ上に商品を載置したものを採用する。尚、被包装物としては、この形態に限られるものではない。
【００１５】
包装装置１００は、サイズ検出部を有する。サイズ検出部は、トレイのサイズとして、トレイの幅、高さ、縦幅（（奥行き）長さ）を検出する。サイズ検出部は、詳細には、光センサー３ａ、３ｂなどを有する。サイズ検出部は、詳細には、被包装物のトレイの幅を検出する反射型光センサー３ａ、３ａ’と、被包装物のトレイの奥行き（縦幅）の検出やトレイの高さの検出を行う光センサー３ｂと、などを有する。尚、本実施形態では、トレイの高さを検出する光検出センサー３ｂは、一つ又は複数の光源と、それに対して所定距離離だけ離間して配置された複数の受光素子とが上下方向に並べて配置されている。
【００１６】
光センサー３ｂの一番下に位置するセンサーは、商品の縦幅（奥行き）を検出するセンサーを兼用している。トレイの縦幅は、この光センサー３ｂがトレイの前端部（コンベアの進行方向に沿って）を検出した時からトレイの後端部を検出した時までの、プッシャーコンベア１の移動距離から算出される。
【００１７】
詳細には、光センサー３ｂとしての発光部と受光部とが、所定間隔だけ離れて配置されている。コンベア上に載置されたトレイは、光センサー３ｂとしての発光部と受光部との間を予め規定された速度で通過するように構成されている。
発光部と受光部との間にトレイが位置していない場合、受光部は、発光部から比較的大きな光強度の光を受光する。発光部と受光部との間にトレイが位置する場合、発光部から射出された光がトレイに遮られ、受光部では比較的小さな光強度の光を受光する。制御部は、受光部で受光される、時間経過に伴う光の強度の強弱のパターンに基づいて、弱い光強度を検出している時間と、トレイの移動する速度（規定速度）とを乗算することで、トレイの縦幅（奥行き）を算出する。
【００１８】
ストレッチフィルム包装機Ａは、フィルムの幅方向を拡張する機構（プレストレッチ機構）を備えた包装機であり、機枠Ａ１の正面、即ち前部に商品（被包装物）を載置する商品載置部（計量皿）ａを備え、該商品載置部ａの手前側近傍に反射型光センサー３ａ，３ａ’と、その反射型光センサー３ａ，３ａ’を商品の幅方向へ移動させる移動手段３５とからなる商品の載置ズレ及び幅寸法を検出する検出手段Ｄを備える（図３参照）。包装装置１００は、商品載置部ａに載せた商品がプッシャーコンベア１により機枠内部に設けたエレベータ２まで搬送されるように構成されている。
【００１９】
尚、図３に示したように、本発明の実施形態に係る包装装置１００の筐体には、包装部ｂまたは商品載置部ａの近傍に、被包装物のトレイサイズを目視により計測可能な目盛り７０を備える。目盛り７０は所定間隔で目盛り線が形成されている。オペレータは、例えば、フィルム包装済みの被包装物のトレイサイズを、この目盛り７０により簡単に計測することができる。
【００２０】
そのコンベア１による商品搬送路の途上に、そのコンベア１の側方に位置させて商品の縦幅（奥行き）及び高さを検出する高さ検出センサー３ｂが設けられている。
上記エレベータ２の上方には包装部ｂが設けられ、その包装部ｂの上流側（図２の右側）には、フィルムロール配置部４とそのフィルムロール配置部にセットされたフィルムロール５から繰り出されるフィルム５’の先端部を保持するフィルム保持手段Ａ２が設けられている。
【００２１】
包装部ｂを挟む前後両側部には、フィルム保持手段Ａ２で保持されているフィルム先端を挟持して引き出し、包装部ｂまで搬送する上下の搬送ベルトからなるフィルム搬送機構Ａ３が、フィルム保持手段Ａ２の先端に接近させて配置され、フィルム保持手段Ａ２と搬送機構Ａ３との間には、搬送機構Ａ３で挟持され引き出されたフィルムを所定長さに切断するカッターＡ４が配置されている。
【００２２】
搬送機構Ａ３の上方には、左右折り込み板Ａ５と後折り込み板Ａ６、及び、後折り込み板Ａ６の上方に位置して排出プッシャＡ７が配設され、機枠Ａ１の前側に配置したコンベア１の上方には、前折り込みローラ６’および前記排出プッシャＡ７で押し出される商品の排出路（ヒータコンベア）６が水平に設けられている。
【００２３】
包装装置１００は、エレベータ２に載せられた商品を、エレベータの上昇により上記包装部ｂに展張されたフィルム５’に対して突き上げ、引き伸ばされた状態のフィルムの左右および後側端部を、左右折り込み板Ａ５と後折り込み板Ａ６とにより商品の底面に折り込んだ後、排出プッシャＡ７により商品を機枠Ａ１前側の排出路６へ向けて水平に押動させながら、前折り込みローラ６’で上記フィルム５’の前側端部を折り込んでフィルムの折り込みを行う。
【００２４】
図４は、本発明の実施形態に係る包装装置１００の電気的な構成図である。図５は包装装置１００の機能ブロックの一例を示す図である。図４に示したように、包装装置１００は、計量ラベルプリンタ制御部Ｇと、包装機構制御部Ｉと、を有する。
計量ラベルプリンタ制御部Ｇは、主として計量ラベルプリンタ関係の制御を行うものでＣＰＵ３６によって制御される。包装機構制御部Ｉは、主として包装機の機構部の制御を行うもので制御部５２（ＣＰＵ）によって制御される。
【００２５】
計量ラベルプリンタ制御部Ｇについて説明する。
ＣＰＵ３６には、バス３６ａを介してＲＯＭ３７、ＲＡＭ３８、表示操作部３９、計量部４０、通信用のインターフェース回路（ＩＮＦ）４１、印字部４２、吸着部駆動部４３、及び、商品検出センサー４４が接続されており、ＲＯＭ３７にはＣＰＵ３６が実行する各種制御プログラムが記憶されている。
尚、高さセンサー３ｂの一番下側のセンサーは商品の縦幅（奥行き）を検出するセンサーを兼用している。商品の縦幅はこのセンサーが商品の前端部を検出した時のプッシャーコンベア１の移動距離から算出される。
【００２６】
ＲＡＭ３８は、ＣＰＵ３６がＲＯＭ３７の制御プログラムを実行する場合に用いるレジスタ，フラグ等のエリアと、商品毎に予め各種データが記憶されたプリセットデータエリアとを備えている。プリセットデータエリアには商品（商品番号）に対応して、値段計算及びラベル印字用のデータである「品名（商品名）、例えば豚（モモ肉）」、「単価、例えば２５０（１００ｇ当り２５０円）」、「風袋、例えば５（トレイ重量５ｇ）」と、ラベル貼付用のデータである「ラベルの向き、例えば（１）」等が予め記憶されている。ここでラベルの向きのデータは、（１），（２），（３）の３種類で、
（１）…ラベルが発行された時の向きのまま
（２）…ラベルが発行された時の向き＋反時計回り方向に９０度回転
（３）…ラベルが発行された時の向き＋時計回り方向に９０度回転
のように意味付けられている。
【００２７】
表示操作部３９は、キーボードとタッチパネルからなる操作部と、液晶表示装置で構成された表示部とを備えており、各種データ及び指令の入力、又は、ＣＰＵ３６の指令に基づいて入力データの表示、プリセットデータの表示、各種メッセージの表示を行うもので、別名コンソール部とも呼ばれている。
【００２８】
計量部４０は商品載置部ａに載置された商品の計量信号をＣＰＵ３６へ供給する。通信用のインターフェース回路（ＩＮＦ）４１は、包装機構制御部Ｉと各種データ、指令などの通信を行うための回路である。印字部４２は計量ラベルプリンタであり、サーマルプリンタなどを備え、ＣＰＵ３６の制御によりラベルに品名、値段、単価、有効日、バーコード等の印字を行い、印字したラベルを発行口７に発行するものである。
【００２９】
吸着部駆動部４３（駆動機構Ｃ２）は、ラベル吸着部Ｃ１を移動させて発行口７にあるラベルを吸着した後、所定のラベル貼付位置へ移動させると共に、ラベル吸着面の向きを所定の向きとし、商品に対してラベル吸着部を所定のタイミングで下降させることで商品の所定の位置に所定の向きでラベルを貼付するための機構部である。商品検出センサー４４は、ラベル貼付のための信号を発生するもので、商品がラベル貼付場所へ位置した場合、その旨をＣＰＵ３６へ供給する。
【００３０】
吸着部駆動部４３について説明する。水平モータＭ１駆動回路はラベル吸着部Ｃ１面を水平移動、即ち商品の搬送方向と直交する方向に移動させる水平モータＭ１（第１の駆動機構のモータ）を駆動する回路で、その水平モータＭ１としてはステッピングモータが使用されている。従って、ステッピングモータの駆動パルス数をカウントすることで吸着部の位置を検出することができる（右回転の時はプラスカウント、左回転の時はマイナスカウント）。水平基準位置センサーＦ１は、吸着部が水平方向の基準位置に位置したことを検出するセンサーで、この基準位置からの前記駆動パルスのカウント値によって吸着部の水平方向の位置決めが行われる。
【００３１】
上下モータＭ２駆動回路及び上下基準位置センサーＦ２は、モータＭ２（第２の駆動機構のモータ）が吸着部を上下方向へ移動させるものである以外は水平モータＭ１と同様である。又、回転モータＭ３駆動回路及び回転基準位置センサーＦ３は、モータＭ３（第２の駆動機構のモータ）が吸着部を商品搬送面と平行な面で回転させるモータで、モータＭ３の駆動パルスで位置決めされるのは距離ではなく、回転角度である点を除くと前記した水平モータＭ１の場合と同じである。ラベル貼付センサーＦ４は、ラベルが商品に貼付されたこと、つまりラベル吸着部Ｃ１の吸着面が商品Ｆに当接されたことを検出するセンサーで、ラベル吸着部Ｃ１に上側方向の力が一定以上加わったことにより前記上側の平行アームが支持腕から離間したことを検出している。
【００３２】
次に、包装装置の包装機構制御部Ｉの制御部５２（ＣＰＵ）について説明する。制御部５２にはバス５２ａを介して通信用インターフェース回路（ＩＮＦ）５３，ＲＯＭ５４，ＲＡＭ５５，操作部５６，及び、機構駆動部５７が接続されている。通信用インターフェース回路（ＩＮＦ）５３は、計量ラベルプリンタ制御部Ｇと各種データ、指令の通信を行うための回路である。ＲＯＭ５４は、制御部５２が実行する制御プログラムなどを記憶している。
ＲＡＭ５５は、制御部５２がＲＯＭ５４の制御プログラムを実行する場合に用いる各種レジスタ及びフラグのエリアの他に商品の形状データ（縦、横、高さ）に基づいて制御データを決定するための各種テーブル等を記憶している。
【００３３】
図６は包装装置１００の記憶部に記憶されているトレイ情報の一例を示す図である。
図６に示したように、トレイ情報は、トレイ種別を示す情報、トレイの幅情報、トレイの高さ情報、トレイの縦幅（奥行き）情報、トレイに対応したフィルム長さ（カット長）情報、トレイの重量情報（風袋重量）などを関連付けて記憶している。
図６に示したトレイ情報は、記憶部としてＲＡＭ５５に記憶されていてもよいし、ＲＯＭ５４、ＲＯＭ３７、ＲＡＭ３８などの記憶部に記憶されていてもよい。
【００３４】
図４に示したように、操作部５６は、装置の起動、停止等のためのスイッチである。機構駆動部５７は、包装を実行する場合に包装機の各機構部を駆動するための回路である。機構駆動部５７には、具体的には、エレベータ２を駆動するモータ５８，商品を搬入するコンベア１の搬入モータ５９，フィルム搬送機構Ａ３のモータ６０等が電気的に接続されている。尚、包装機の構成は先に簡単に説明したが本発明と直接関係しないので、モータの制御の詳細については説明を省略する。機構駆動部５７には、商品の載置ズレ及び商品の幅を検出する反射型光センサー６１（３ａ，３ａ’）と、商品の縦幅及び高さを検出する高さ検出センサー６２（３ｂ）が接続されており、検出データを制御部５２に出力するように構成されている。
【００３５】
計量ラベルプリンタ制御部Ｇと包装機構制御部Ｉとで授受されるデータや指令の一例を説明する。計量ラベルプリンタ制御部Ｇから包装機構制御部Ｉへ計量皿上に載置された商品の計量が安定したことを報知する信号が送信される、包装機構制御部Ｉから計量ラベルプリンタ制御部Ｇへラベル貼付位置決定のためのデータとして、商品の載置ズレ及び幅寸法を検出する反射型光センサー３ａ，３ａ’で検出された一方の長さデータＬＲと高さ検出センサー３ｂで検出された高さデータＨが送信される。計量ラベルプリンタ制御部Ｇと包装機構制御部Ｉとの間で各制御部の状態信号（正常かエラー中か等）が授受される。
【００３６】
制御部５２（ＣＰＵ）は、サイズ検出部により検出されたトレイサイズを基に、記憶部から、そのトレイサイズに対応するトレイ情報を読み出し、そのトレイ情報に基づいて包装部ｂにフィルム包装処理を行わせる。
【００３７】
また、制御部５２は、包装部により被包装物に対してフィルム包装処理を行った後、包装指示部の操作画面に、サイズ検出部により検出された被包装物のトレイサイズまたはトレイ情報の履歴情報を表示する処理を行う。
【００３８】
また、制御部５２は、操作画面に表示した履歴情報に関する表示指示用ボタンを操作したことを包装指示部で検出した場合、包装指示部の操作画面に履歴情報を表示する処理を行う。
【００３９】
詳細には、制御部５２は、包装指示部としての表示操作部３９に表示した、被包装物（商品）を包装した直後の画面において、履歴情報に関する表示指示用ボタン３９ａ（アイコン）を表示する処理を行い（図７参照）、その表示指示用ボタン３９ａ（アイコン）の操作（タッチなど）を検出した場合、図８に示したように、既に包装部により包装した被包装物に関して、サイズ検出部による検出記録を、履歴情報（ログ情報）として、包装指示部としての表示操作部３９に表示する処理を行う。
【００４０】
こうすることで、オペレータは、包装指示部の表示部に表示されたトレイサイズなどの履歴情報と、実際に包装された被包装物の実際のトレイサイズなどを比較することで、その被包装物に対する包装処理に関する包装条件（サイズ検出部により検出されたトレイサイズやそれに対応して自動設定されたトレイ情報）が適正であるか否かを容易に判断することができる。
【００４１】
また、制御部５２は、履歴情報を包装指示部に表示した後、包装指示部から新たにトレイサイズまたはトレイ情報を設定させる操作指示を検出した場合、操作指示部からの操作指示に基づいて、新たにトレイサイズまたはトレイ情報を設定する処理を行う。
こうすることで、オペレータは、包装指示部の表示部に表示されたトレイサイズなどの履歴情報と、実際に包装された被包装物の実際のトレイサイズなどを比較した後、包装装置により検出されたトレイサイズやトレイ情報などの包装条件について修正を行う必要があると判断した場合、包装指示部から新たにトレイサイズまたはトレイ情報を設定させることで、容易に包装条件（そのトレイサイズに対応するトレイ情報など）を変更可能である。
【００４２】
サイズ検出部により検出された被包装物のトレイサイズに基づいて、記憶部からそのトレイサイズに関連付けられたフィルムのカット長情報を含む前記トレイ情報を読み出し、そのトレイ情報を基に包装部に包装処理を行わせる。
【００４３】
また、本実施形態に係る包装装置１００は、包装部ｂによりフィルム包装された被貼付物に、トレイ情報に基づいて規定される貼付位置にラベルを貼付するラベル貼付手段を有する。
【００４４】
＜登録モード＞
包装装置の登録モード時の動作の一例を説明する。
先ず、オペレータ（操作者）は操作入力部を操作して包装装置１００をトレイ登録モードに設定する。詳細には、制御部５２の制御により、光センサーなどで構成されているサイズ検出部によりトレイサイズを検出するとともに、計量部４０により風袋重量（トレイの自重）の計量を行う。
そして、制御部５２は、１０回など所定回数だけ正常にトレイサイズを検出したか否かを判断し、所定回数トレイサイズを正常に検出した場合、それらのトレイサイズの平均値を算出し、その算出されたトレイサイズを記憶部に記憶する。所定回数、トレイサイズを正常に検出していない場合、サイズ検出部によりトレイサイズを所定回数取得するまで繰り返す。
包装装置１００の制御部５２は、トレイサイズに基づいて、フィルムのカット長などを算出する。また、本実施形態に係る包装装置１００では、オペレータによる操作入力部からの操作指示に基づいて、フィルムのカット長、新たに登録するトレイ情報の名称などを設定可能に構成されている。そして、制御部５２は、トレイ登録モードの一連の処理を全て実行した後、通常の包装処理モードに移行する。
【００４５】
＜包装装置１００の動作＞
本発明の実施形態に係る包装装置１００の動作の一例を説明する。
先ず、オペレータが被包装物としての商品を商品載置部に載置した場合、制御部５２は、光センサー３ａ、３ａ’、３ｂなどのサイズ検出部からの信号に基づいて、被包装物のトレイサイズを検出する処理を行う。
【００４６】
次に、制御部５２は、被包装物のトレイサイズに対応するトレイ情報を記憶部（ＲＯＭ５４、ＲＡＭ５５など）から、検出したトレイサイズに関連付けられたトレイ情報を読み出し、そのトレイ情報に基づいてフィルム包装処理を行う。
【００４７】
次に、制御部５２は、トレイ情報などに基づいてラベル貼付位置を設定し、ラップ包装された商品のラベル貼付位置に、ラベル貼付手段にラベルを貼付させる処理を行う。
【００４８】
図９は、本発明の実施形態に係る包装装置１００の動作の一例を示すフローチャートである。図９を参照しながら、包装装置１００の動作の一例を説明する。
【００４９】
ステップＳ１１において、制御部５２は、例えば、タッチパネル式表示部を備える表示操作部３９に包装処理に関する操作画面や包装値付け画面などを表示する処理を行う。
オペレータは、表示操作部３９の操作画面や各種操作ボタンを操作することで、包装装置の各種設定を行う。詳細には、制御部５２は、表示操作部３９の操作画面に対する操作指示や各種操作ボタンへの操作指示を検出した場合、その操作指示に応じて各種包装処理に関する設定を行う。
【００５０】
ステップＳ１３において、商品載置部ａへの商品としての被包装物の検出した場合、制御部５２は、サイズ検出部（光センサー３ａ、３ａ’、３ｂ）により被包装物のトレイサイズを検出する処理を行う。制御部５２は、検出したトレイサイズをログ情報として記憶部（ＲＡＭ５５、ＲＡＭ３８など）に記憶する処理を行う。
【００５１】
ステップＳ１５において、制御部５２は、サイズ検出部により検出したトレイサイズに基づいて、記憶部からそのトレイサイズに関連付けられたトレイ情報を読み出し、そのトレイ情報に基づいて包装処理に関して設定を行う（自動設定）。
また、制御部５２は、サイズ検出部で検出されたトレイサイズと、記憶部から読み出した、その検出されたトレイサイズに対応するトレイ情報とを、ログ情報として記憶部（ＲＡＭ５５、ＲＡＭ３８など）に記憶する処理を行う。
【００５２】
ステップＳ１７において、制御部５２は、トレイ情報に基づいて、被包装物に対してフィルム包装処理を包装部ｂに行わせる。
【００５３】
ステップＳ１９において、制御部５２は、図７に示したように、表示操作部３９の包装処理に関する操作画面（包装値付け画面など）にトレイサイズログ表示用ボタン（アイコン）３９ａを表示する処理を行う。本実施形態では、トレイサイズログ表示用ボタン３９ａ（アイコン）には、例えば、記憶部（ＲＡＭ５５、ＲＡＭ３８など）の履歴情報（ログ）の保存先位置を示す情報（ファイルパス名やアドレスなど）に、リンク先情報が関連付けられている。
【００５４】
ステップＳ２１において、制御部５２は、表示操作部３９からの信号に基づいて、トレイサイズログ表示用ボタン（アイコン）３９ａを押下する操作指示を検出したか否かを判断し、トレイサイズログ表示用ボタン（アイコン）３９ａの操作指示を検出した場合、ステップＳ２３の処理に進み、その操作指示を検出していないと判断した場合、ステップＳ２９の処理に進む。
【００５５】
ステップＳ２３において、制御部５２は、サイズ検出部により検出された被包装物のトレイサイズ及び／またはトレイ情報の少なくとも直近の情報を含むトレイサイズログ（履歴情報）３９ｂを表示操作部３９に表示させる処理を行う。
【００５６】
ステップＳ２５において、制御部５２は、トレイサイズを設定する操作指示を検出したか否かを判断し、操作指示を検出した場合、ステップＳ２７の処理に進み、操作指示を検出しない場合、ステップＳ２９の処理に進む。詳細には、例えば、制御部５２は、トレイサイズを設定するための設定用ボタン（不図示）の操作指示を検出したか否かにより、トレイサイズを設定する操作指示を検出したか否かを判断する。
【００５７】
ステップＳ２７において、制御部５２は、表示操作部３９などからの操作指示に基づいて、トレイサイズを設定する設定処理を行い、ステップＳ２９の処理に進む。こうすることで、簡単な操作によりトレイサイズを容易に設定することができる。
【００５８】
ステップＳ２９において、制御部５２は、全ての被包装物について包装を終了したか否かを判断し、全ての被包装物について包装が終了していない場合、ステップＳ１１の処理に進み、全ての被包装物について包装が終了している場合、処理を終了する。
【００５９】
尚、本実施形態に係る包装装置１００は、各被包装物に対してフィルム包装処理を施す毎に、そのフィルム包装された商品（被包装物）にラベルを貼付する処理を行う。
【００６０】
以上、説明したように、本発明の実施形態に係る包装装置１００は、フィルムにより被包装物を包装する包装部ｂを備える。被包装物のトレイサイズを含むトレイ情報を記憶する記憶部と、被包装物のトレイサイズを検出するサイズ検出部（３ａ、３ａ’、３ｂ）と、包装部ｂの包装動作に関する情報を示す操作画面を表示するとともに、操作画面に対する操作指示を検出する包装指示部としての表示操作部３９と、サイズ検出部により検出されたトレイサイズを基に、記憶部から、そのトレイサイズに対応するトレイ情報を読み出し、そのトレイ情報に基づいて包装部にフィルム包装処理を行わせる制御部５２と、を有する。制御部５２は、包装部ｂにより被包装物に対してフィルム包装処理を行った後、包装指示部である表示操作部３９の操作画面に、サイズ検出部（３ａ、３ａ’、３ｂ）により検出された被包装物（包装済み被包装物）のトレイサイズ及び／またはトレイ情報の少なくとも直近の情報を表示する処理を行う。
また、本発明の実施形態に係る包装装置１００は、制御部５２が、操作画面に表示した、サイズ検出部により検出された前記被包装物のトレイサイズ及び／またはトレイ情報の少なくとも直近の情報を含む履歴情報に関する表示指示用ボタン３９ａを操作したことを包装指示部である表示操作部３９で検出した場合、その包装指示部の操作画面に履歴情報３９ｂを表示する処理を行う。
例えば、オペレータは、包装処理に関する操作画面（値付け画面など）から、簡単な操作で、包装済みの商品のトレイサイズ（センサで検出されたトレイサイズに基づいて自動設定されたトレイサイズ）及び／またはトレイ情報の少なくとも直近の情報を含む履歴情報を表示操作部３９の画面に表示させることができるので、包装不良などが生じた場合、その原因がトレイサイズを検出するセンサー等の不良であるのか、包装装置の包装可動部における不良であるのか等を容易に把握することができ、包装装置における不良に対して迅速に対処することが可能である。
【００６１】
また、本発明の実施形態に係る包装装置１００は、この包装装置１００の筐体において、図３に示したように、例えば、包装部ｂまたは商品載置部ａの近傍に、被包装物のトレイサイズを目視により計測可能な目盛り７０を備える。このため、オペレータは、目盛り７０により、実際にフィルム包装された被包装物（商品）のトレイサイズを容易に目視により計測することができ、そのトレイサイズや包装状態、表示操作部３９に表示されトレイサイズまたはトレイ情報の履歴情報を見て、包装装置１００により検出されたトレイサイズや自動設定したトレイ情報などの包装条件が適切であったか否かを容易に判断可能である。
【００６２】
また、本発明の実施形態に係る包装装置１００は、上述したように履歴情報を包装指示部としての表示操作部３９の表示部に表示した後、包装指示部（表示操作部３９）から新たにトレイサイズまたはトレイ情報を設定させる操作指示を検出した場合、操作指示部（表示操作部３９）からの操作指示に基づいて、新たにトレイサイズまたはトレイ情報を設定する処理を行う。
こうすることで、オペレータは、包装指示部の表示部に表示されたトレイサイズなどの履歴情報と、実際に包装された被包装物の実際のトレイサイズなどを比較した後、包装装置１００により検出されたトレイサイズやトレイ情報などの包装条件について修正を行う必要があると判断した場合、包装指示部から新たにトレイサイズまたはトレイ情報を設定させることで、容易に包装条件（そのトレイサイズに対応するトレイ情報など）を変更可能であり、今後同じトレイサイズの被包装物に対して最適なフィルム包装を行わせることができる。
すなわち、オペレータが１つ前またはそれ以前にフィルム包装済みの商品（被包装物）の包装状態（仕上がり）を見て、トレイサイズを適宜最適に設定可能な包装装置１００を提供することができる。
【００６３】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６４】
以上、本発明の実施形態について説明したが、本発明の実施形態の一部または全部は、以下の付記のように記載される。
［付記１］
フィルムにより被包装物を包装する包装部を備える包装装置であって、
前記被包装物のトレイサイズを含むトレイ情報を記憶する記憶部と、
被包装物のトレイサイズを検出するサイズ検出部と、
前記包装部の包装動作に関する情報を示す操作画面を表示するとともに、前記操作画面に対する操作指示を検出する包装指示部と、
前記サイズ検出部により検出されたトレイサイズを基に、前記記憶部から、該トレイサイズに対応するトレイ情報を読み出し、該トレイ情報に基づいて前記包装部にフィルム包装処理を行わせる制御部と、を有し、
前記制御部は、前記包装部により被包装物に対してフィルム包装処理を行った後、前記包装指示部の前記操作画面に、前記サイズ検出部により検出された前記被包装物のトレイサイズ及び／またはトレイ情報の少なくとも直近の情報を表示する処理を行うことを特徴とする
包装装置。
［付記２］
前記制御部は、前記操作画面に表示した、前記サイズ検出部により検出された前記被包装物のトレイサイズ及び／またはトレイ情報の少なくとも直近の情報を含む履歴情報に関する表示指示用ボタンを操作したことを前記包装指示部で検出した場合、該包装指示部の前記操作画面に前記履歴情報を表示する処理を行うことを特徴とする付記１に記載の包装装置。
［付記３］
前記包装装置の筐体において、前記包装部または商品載置部の近傍に、前記被包装物のトレイサイズを目視により計測可能な目盛りを備えることを特徴とする付記１から付記３の何れかに記載の包装装置。
［付記４］
前記制御部は、前記包装指示部からの操作指示に応じて、新たにトレイサイズまたはトレイ情報を設定することを特徴とする付記１から付記３の何れかに記載の包装装置。
【符号の説明】
【００６５】
１  プッシャーコンベア（コンベア）
２  エレベータ
３ａ  ，３ａ’  反射型光センサー（サイズ検出部）
３ｂ  高さ検出センサー（サイズ検出部）
４  フィルムロール配置部
５  フィルムロール
５’フィルム
６  排出路
６’  前折り込みローラ
７  発行口
３５  移動手段
３６  ＣＰＵ
３６ａ  バス
３７  ＲＯＭ
３８  ＲＡＭ（記憶部）
３９  表示操作部（表示部、包装指示部）
３９ａ  履歴情報表示指示用ボタン（アイコン）
３９ｂ  履歴情報（ログ）
４０  計量部
４１  通信用のインターフェース回路（ＩＮＦ）
４２  印字部
４３  吸着部駆動部
４４  商品検出センサー
５２  制御部（ＣＰＵ）
５２ａ  バス
５３  通信用インターフェース回路（ＩＮＦ）
５４  ＲＯＭ
５５  ＲＡＭ（記憶部）
５６  操作部
５７  機構駆動部
５８  モータ
５９  搬入モータ
６０  モータ
６１  光センサー（サイズ検出部）
６２  光センサー（サイズ検出部）
７０  目盛り
１００  包装装置
Ａ  ストレッチフィルム包装機（包装部）
Ａ１  機枠
Ａ２  フィルム保持手段
Ａ３  搬送機構
Ａ４  カッター
Ｂ  計量ラベルプリンタ
Ｃ  ラベル貼付装置（ラベル貼付手段）
Ｄ  検出手段
ａ  商品載置部
ｂ  包装部
【図１】
2014105019.tif 000003
【図２】
2014105019.tif 000004
【図３】
2014105019.tif 000005
【図４】
2014105019.tif 000006
【図５】
2014105019.tif 000007
【図６】
2014105019.tif 000008
【図７】
2014105019.tif 000009
【図８】
2014105019.tif 000010
【図９】
2014105019.tif 000011